(57)【特許請求の範囲】
【請求項１】
所定の画像情報及び設定された画像形成条件に基づいて転写紙に画像を形成する印刷ジョブを実行する画像形成部と、
前記画像形成部によって実行される複数の印刷ジョブを予約ジョブとして受け付ける操作部と、
前記操作部によって受け付けられた前記予約ジョブの中から、印刷ジョブを連続して実行することを阻害するジョブ連続実行阻害要因を含む予約ジョブを抽出し、抽出された前記予約ジョブにジョブ連続実行阻害要因を示す識別情報を設定する制御部と、
一方の軸方向にトレイ情報、他方の軸方向に時間情報が割り当てられ、前記設定された画像形成条件に基づいて前記予約ジョブの実行に必要な時間を算出し、当該算出された時間に相当する長さ分だけ前記予約ジョブを実行するトレイに対応する前記他方の軸方向に予約ジョブを表示するジョブスケジュール画面において、前記制御部によって識別情報を設定された予約ジョブを当該識別情報を設定されていない予約ジョブに対して識別表示する表示部と、
を備えることを特徴とする画像形成装置。
【請求項２】
前記表示部は、
前記予約ジョブを識別するＩＤ情報に対応して前記ジョブ連続実行阻害要因を含む画像形成条件及び前記画像情報を記述したジョブリスト画面に、実行中の予約ジョブ又は実行待ちをしている複数の前記予約ジョブを一覧表示することを特徴とする請求項１に記載の画像形成装置。
【請求項３】
前記表示部は、
前記一覧表示される他の予約ジョブと、前記識別情報が設定された予約ジョブとを前記ジョブリスト画面上で色分け表示することを特徴とする請求項２に記載の画像形成装置。
【請求項４】
前記表示部は、
前記識別情報が設定された予約ジョブに関して、当該印刷ジョブを開始する時刻を示す時間情報をジョブリスト画面上に表示することを特徴とする請求項３に記載の画像形成装置。
【請求項５】
前記表示部は、
前記識別情報を設定された予約ジョブが前記ジョブリスト画面上で先頭となった場合に、当該予約ジョブが前記ジョブリスト画面上で先頭となっていない場合の表示に比べて異なった表示をすることを特徴とする請求項４に記載の画像形成装置。
【請求項６】
前記画像形成条件を表示して操作者が出力操作を行うまで前記予約ジョブの実行を待機する機能をウエイトモードとしたとき、
前記ジョブ連続実行阻害要因には、前記ウエイトモードが含まれることを特徴とする請求項１に記載の画像形成装置。
【請求項７】
前記予約ジョブに関して印刷部数に関わらず一部だけを印刷して機械を停止させる機能をプルーフモードとしたとき、
前記ジョブ連続実行阻害要因には、前記プルーフモードが含まれることを特徴とする請求項１に記載の画像形成装置。
【請求項８】
所定の画像情報及び設定された画像形成条件に基づいて転写紙に画像を形成する印刷ジョブを実行する画像形成装置が、
複数の印刷ジョブを予約ジョブとして受け付けるステップと、
受け付けられた前記予約ジョブの中から、印刷ジョブを連続して実行することを阻害するジョブ連続実行阻害要因を含む予約ジョブを抽出するステップと、
抽出された前記予約ジョブにジョブ連続実行阻害要因を示す識別情報を設定するステップと、
一方の軸方向にトレイ情報、他方の軸方向に時間情報が割り当てられ、前記設定された画像形成条件に基づいて前記予約ジョブの実行に必要な時間を算出し、当該算出された時間に相当する長さ分だけ前記予約ジョブを実行するトレイに対応する前記他方の軸方向に予約ジョブを表示するジョブスケジュール画面において、前記識別情報を設定された予約ジョブを当該識別情報を設定されていない予約ジョブに対して識別表示するステップと、
を実行することを特徴とする画像形成方法。
【発明の詳細な説明】
【技術分野】
【０００１】
この発明は、ウエイトモードやプルーフモード等の画像形成条件を画像ファイルに付加して登録された予約ジョブを実行する複写機、プリンター、デジタル複合機等に適用して好適な画像形成装置及び画像形成方法に関するものである。
【背景技術】
【０００２】
近年、複写機能、スキャナー機能、プリンター機能、ファクシミリ機能及び外部の装置と通信を行なう機能を有したデジタル複合機等の画像形成装置が使用される場合が多くなってきた。
【０００３】
この画像形成装置によれば、大量の印刷ジョブを予約し、連続的にプリント出力を行う場合に、複数の印刷ジョブが別々に受け付けられ、同一のプリンター部でプリント出力する場合や、画像出力中に新たな印刷ジョブが受け付けられた場合には、個々の印刷ジョブに対するプリント出力の順番がくるまで、記憶部に画像データが蓄えられて待たされる。待たされている印刷ジョブのプリント出力の順番になったときに、プリント動作を開始するようになされる。
【０００４】
この種の画像形成装置に関連して、特許文献１には、複写機能、スキャナー機能、プリンター機能、ファクシミリ機能及び外部の装置と通信を行なう画像形成装置が開示されている。この画像形成装置によれば、入力手段、記憶手段、表示装置及び画像形成出力手段を備える。入力手段は印刷ジョブを入力するように操作される。記憶手段には、入力手段で入力された印刷ジョブが記憶される。表示装置は、画像形成出力手段にて出力される印刷ジョブで記憶手段に記憶されている実行待ちの状態の印刷ジョブを表示する。
【０００５】
画像形成出力手段は、記憶手段に記憶された印刷ジョブに基づいて画像を形成し出力する。これを前提にして、表示装置が記憶手段に記憶されている実行待ちの印刷ジョブを、実行可能ジョブと実行不可能ジョブとで異なる表示形態で表示する。例えば、表示装置は実行待ちの状態にある印刷ジョブの内容を、実行不可能なレベルに応じて異なる表示形態で一覧表示するようになされる。
【０００６】
このように画像形成装置を構成すると、実行待ちの印刷ジョブが実行可能であるか、実行不可能であるかを一見して判断することができる。また、待ち状態にある複数の印刷ジョブの設定条件が、画像形成装置の装置状況に適しているのか否かを容易に判別できるというものである。
【先行技術文献】
【特許文献】
【０００７】
【特許文献１】特開２００２−２２５３８９号公報（第８頁  図１１）
【発明の概要】
【発明が解決しようとする課題】
【０００８】
ところで、従来例に係る画像形成装置を備えた画像形成システムによれば、大量の印刷ジョブを予約し、連続的にプリント出力を行う場合に次のような問題がある。
【０００９】
ｉ．特許文献１に見られる画像形成装置によれば、待ち状態にある印刷ジョブが実行可能であるか、実行不可能であるかを判断し、表示装置には、実行待ちの印刷ジョブを、実行可能ジョブと実行不可能ジョブとで異なる表示形態で表示するようになされる。
【００１０】
しかし、画像形成条件を表示して操作者が出力操作を行うまで予約ジョブの実行を待機するウエイトモードが設定された場合に、いつ機械の側にいればよいかを認識できなかった。
【００１１】
ii．また、予約ジョブに関して印刷部数に関わらず一部だけを印刷して機械を停止させるプルーフモードが設定された場合に、いつ機械の側にいればよいかを認識できなかった。予約ジョブにて、ウエイト／プルーフモードで停止するジョブがあった場合、特許文献１に見られるような画像形成装置には、識別可能な表示がなされておらず、機械が停止し、当該予約ジョブの実行開示時刻を過ぎて、パネルを見たとき、始めて、ウエイト／プルーフモードのジョブであることが分かるため、画像形成システムの生産性の効率を低下する原因となっていた。
【００１２】
そこで、この発明は上述した課題を解決したものであって、予約ジョブの中にウエイトモードやプルーフモード等が含まれていた場合であっても、いつ頃、操作者が機械の側にいればよいかを視覚的に認識できるようにすると共に、大量の印刷ジョブを取り扱う作業を効率化できるようにした画像形成装置及び画像形成方法を提供することを目的とする。
【課題を解決するための手段】
【００１３】
上記課題を解決するために、請求項１に係る画像形成装置は、所定の画像情報及び設定された画像形成条件に基づいて転写紙に画像を形成する印刷ジョブを実行する画像形成部と、前記画像形成部によって実行される複数の印刷ジョブを予約ジョブとして受け付ける操作部と、前記操作部によって受け付けられた前記予約ジョブの中から、印刷ジョブを連続して実行することを阻害するジョブ連続実行阻害要因を含む予約ジョブを抽出し、抽出された前記予約ジョブにジョブ連続実行阻害要因を示す識別情報を設定する制御部と、一方の軸方向にトレイ情報、他方の軸方向に時間情報が割り当てられ、前記設定された画像形成条件に基づいて前記予約ジョブの実行に必要な時間を算出し、当該算出された時間に相当する長さ分だけ前記予約ジョブを実行するトレイに対応する前記他方の軸方向に予約ジョブを表示するジョブスケジュール画面において、前記制御部によって識別情報を設定された予約ジョブを当該識別情報を設定されていない予約ジョブに対して識別表示する表示部とを備えることを特徴とするものである。
【００１４】
請求項１に係る画像形成装置によれば、操作部は、画像形成部によって実行される複数の予約ジョブを受け付けるように操作される。制御部は、操作部によって受け付けられた予約ジョブの中からジョブ連続実行阻害要因を含む予約ジョブを抽出し、ここに抽出された予約ジョブにジョブ連続実行阻害要因を示す識別情報を設定する。これを前提にして、表示部が制御部によって識別情報を設定された予約ジョブ及び当該識別情報を設定されていない予約ジョブを同一画面上に一覧表示するようになる。従って、同一画面上に一覧表示された予約ジョブを画像形成部で識別情報の設定有無に対応して順に実行できるようになる。
【００１７】
請求項２に係る画像形成装置は、請求項１において、前記予約ジョブを識別するＩＤ情報に対応して前記ジョブ連続実行阻害要因を含む画像形成条件及び前記画像情報を記述したジョブリスト画面に、前記表示部が実行中の予約ジョブ又は実行待ちをしている複数の前記予約ジョブを一覧表示することを特徴とするものである。
【００１８】
請求項３に係る画像形成装置は、請求項２において、前記表示部が前記一覧表示される他の予約ジョブと、前記識別情報が設定された予約ジョブとを前記ジョブリスト画面上で色分け表示することを特徴とするものである。
【００１９】
請求項４に係る画像形成装置は、請求項３において、前記識別情報が設定された予約ジョブに関して、前記表示部が当該印刷ジョブを開始する時刻を示す時間情報をジョブリスト画面上に表示することを特徴とするものである。
【００２０】
請求項５に係る画像形成装置は、請求項４において、前記識別情報を設定された予約ジョブが前記ジョブリスト画面上で先頭となった場合に、当該予約ジョブが前記ジョブリスト画面上で先頭となっていない場合の表示に比べて前記表示部が異なった表示をすることを特徴とするものである。
【００２１】
請求項６に係る画像形成装置は、請求項１において、前記画像形成条件を表示して操作者が出力操作を行うまで前記予約ジョブの実行を待機する機能をウエイトモードとしたとき、前記ジョブ連続実行阻害要因には、前記ウエイトモードが含まれることを特徴とするものである。
【００２２】
請求項７に係る画像形成装置は、請求項１において、前記予約ジョブに関して印刷部数に関わらず一部だけを印刷して機械を停止させる機能をプルーフモードとしたとき、前記ジョブ連続実行阻害要因には、前記プルーフモードが含まれることを特徴とするものである。
【００２３】
請求項８に係る画像形成方法は、所定の画像情報及び設定された画像形成条件に基づいて転写紙に画像を形成する印刷ジョブを実行する画像形成装置が、複数の印刷ジョブを予約ジョブとして受け付けるステップと、受け付けられた前記予約ジョブの中から、印刷ジョブを連続して実行することを阻害するジョブ連続実行阻害要因を含む予約ジョブを抽出するステップと、抽出された前記予約ジョブにジョブ連続実行阻害要因を示す識別情報を設定するステップと、一方の軸方向にトレイ情報、他方の軸方向に時間情報が割り当てられ、前記設定された画像形成条件に基づいて前記予約ジョブの実行に必要な時間を算出し、当該算出された時間に相当する長さ分だけ前記予約ジョブを実行するトレイに対応する前記他方の軸方向に予約ジョブを表示するジョブスケジュール画面において、前記識別情報を設定された予約ジョブを当該識別情報を設定されていない予約ジョブに対して識別表示するステップと、を実行することを特徴とするものである。
【００２４】
請求項８に係る画像形成方法によれば、同一画面上に一覧表示された予約ジョブを識別情報の設定有無に対応して順に実行できるようになる。
【発明の効果】
【００２５】
請求項１に係る画像形成装置及び請求項８に係る画像形成方法によれば、予約ジョブの中からジョブ連続実行阻害要因を含む予約ジョブを抽出し、ここに抽出された予約ジョブに識別情報を設定する制御部を備え、識別情報を設定された予約ジョブ及び当該識別情報を設定されていない予約ジョブを同一画面上に一覧表示するようになされる。
【００２６】
この構成によって、同一画面上に一覧表示された予約ジョブを画像形成部で識別情報の設定有無に対応して順に画像形成部で実行できるようになる。従って、大量の印刷ジョブを予約し、連続的に出力を行う作業で、予約ジョブの中に、ウエイトモードやプルーフモード等のジョブ連続実行阻害要因が含まれていた場合であっても、いつ頃、操作者が機械の側にいればよいかを視覚的に認識できるようになり、大量の印刷ジョブを取り扱う作業の効率化を図ることができる。
【００２９】
請求項２に係る画像形成装置によれば、表示部がジョブリスト画面に実行中の予約ジョブ又は実行待ちをしている複数の予約ジョブを一覧表示するので、大量の印刷ジョブを予約し、連続的に出力を行う作業で、予約ジョブの中からウエイトモードやプルーフモード等を容易に認識できるようになる。
【００３０】
請求項３に係る画像形成装置によれば、一覧表示される他の予約ジョブと、識別情報が設定された予約ジョブとがジョブリスト画面上で色分け表示されるので、大量の印刷ジョブを予約し、連続的に出力を行う作業で、予約ジョブの中からウエイトモードやプルーフモード等を容易に認識できるようになる。
【００３１】
請求項４に係る画像形成装置によれば、識別情報が設定された予約ジョブには、当該印刷ジョブの開始時刻がジョブリスト画面上に表示されるので、いつ頃、操作者が機械の側にいればよいかを視覚的に認識できるようになる。
【００３２】
請求項５に係る画像形成装置によれば、識別情報を設定された予約ジョブがジョブリスト画面上で先頭となった場合に、それがジョブリスト画面上で先頭となっていない場合の表示に比べて異なった表示が行われるので、大量の印刷ジョブを予約し、連続的にプリント出力を行う作業で、ウエイトモードやプルーフモード等を伴った印刷ジョブの到来を容易に認識できるようになる。
【００３３】
請求項６に係る画像形成装置によれば、ジョブ連続実行阻害要因にはウエイトモードが含まれるので、大量の印刷ジョブを予約し、連続的に出力を行う作業で、ウエイトモードを伴った印刷ジョブを実行する際に、画像形成条件を表示して操作者が出力操作を行うまで予約ジョブの実行を待機させることができる。
【００３４】
請求項７に係る画像形成装置によれば、ジョブ連続実行阻害要因には、プルーフモードが含まれるので、大量の印刷ジョブを予約し、連続的に出力を行う作業で、プルーフモードを伴った印刷ジョブを実行する際に、予約ジョブに関して印刷部数に関わらず一部だけを印刷して機械を停止させることができる。
【図面の簡単な説明】
【００３５】
【図１】本発明に係る画像形成装置を応用した画像形成システムＧＳの構成例を示す概念図である。
【図２】デジタル複合機１００の制御系の構成例を示すブロック図である。
【図３】ジョブスケジュール画面の表示例（その１）を示す説明図である。
【図４】ジョブスケジュール画面の表示例（その２）を示す説明図である。
【図５】ジョブスケジュール画面の表示例（その３）を示す説明図である。
【図６】ジョブスケジュール画面の表示例（その４）を示す説明図である。
【図７】ジョブリスト画面Ｇ２の表示例（その１）を示す説明図である。
【図８】ジョブリスト画面Ｇ２の表示例（その２）を示す説明図である。
【図９】ジョブリスト画面Ｇ２の表示例（その３）を示す説明図である。
【図１０】（Ａ）〜（Ｄ）は、プリントキュー制御例及びジョブデータのフォーマット例を示す説明図である。
【図１１】ジョブのプリントキュー操作例（その１）を示す説明図である。
【図１２】（Ａ）〜（Ｃ）は、ジョブのプリントキュー操作例（その２）を示す説明図である。
【図１３】（Ａ）〜（Ｃ）は、ジョブのプリントキュー操作例（その３）を示す説明図である。
【図１４】ジョブ受け付け時の表示制御例を示すフローチャートである。
【図１５】ジョブ終了時の表示制御例を示すフローチャートである。
【図１６】ウエイト／プルーフモード等の予約ジョブの表示制御例を示すフローチャートである。
【発明を実施するための形態】
【００３６】
以下、図面を参照しながら、この発明の実施の形態に係る画像形成装置及び画像形成方法について説明をする。
【００３７】
図１に示す画像形成システムＧＳは、本発明に係る画像形成装置を備えたものである。画像形成システムＧＳは、所定の画像情報（以下画像データという）及び設定された画像形成条件に基づいて転写紙（以下用紙Ｓという）に画像を形成し、その後、後処理するために、図１に示すように、大容量給紙装置１６、デジタル複合機１００及び後処理装置２００を備えて構成される。この例で、デジタル複合機１００は用紙Ｓに所定の画像を形成して後処理装置２００に搬出するようになされる。
【００３８】
デジタル複合機１００は画像形成装置の一例を構成し、図１に示すように、装置本体部１２及び自動原稿給紙装置１４を備えている。自動原稿給紙装置１４は、装置本体部１２の上部に着脱可能に取り付けられ、自動原稿給紙装置１４に載置された原稿ｄを装置本体部１２の原稿台上に搬送する。
【００３９】
装置本体部１２は、スキャナー部１８、読取り処理部２０、書込み処理部２２、プリンター部２４、給紙搬送部３８及び定着装置５２を有して構成される。スキャナー部１８は、例えば、ＣＣＤ８１等（図２参照）を有した光学走査露光装置を備え、原稿台上に搬送された原稿ｄに光を照射してその反射光をＣＣＤ８１により読み取り、読み取った反射光をアナログの画像読取信号に光電変換する。読取り処理部２０は、スキャナー部１８により光電変換された画像読取信号をアナログ処理、Ａ／Ｄ変換処理及び、シェーディング補正処理して画像データを出力する。
【００４０】
プリンター部２４は画像形成部の一例を構成し、例えば、スキャナー部１８から得られた画像データ及び、設定された画像形成条件に基づいて用紙Ｓに画像を形成する予約ジョブを実行するために、感光体ドラム２６、帯電部２８、現像部３０、転写部３２、分離部３４及びクリーニング部３６を有して構成される。ここに予約ジョブとは、ジョブ連続実行阻害要因を含む画像形成条件（以下ジョブ設定情報ともいう）を画像データに設定して登録する処理をいう。ジョブ連続実行阻害要因とは、印刷ジョブ（以下プリントジョブという）を連続して実行する際の阻害要因をいう。プリントジョブとは、画像データ及び設定されたジョブ設定情報に基づいて用紙Ｓに画像を形成する処理をいう。
【００４１】
このジョブ連続実行阻害要因には、ウエイトモードが含まれる。ウエイトモードとは、ジョブ設定情報を表示して操作者が出力操作を行うまで予約ジョブの実行を待機する機能をいう。ウエイトモードは、大量のプリントジョブを予約し、連続的にプリント出力を行う作業で、プリンター部２４の待機動作を伴ったプリントジョブを実行する際に設定される。
【００４２】
また、ジョブ連続実行阻害要因にはプルーフモードが含まれる。プルーフモードとは、予約ジョブに関して印刷部数に関わらず一部だけを印刷して機械を停止させる機能をいう。プルーフモードは、大量のプリントジョブを予約し、連続的にプリント出力を行う作業で、お試し印刷動作を伴ったプリントジョブを実行する際に設定される。
【００４３】
上述のドラム部材を除く、帯電部２８や、現像部３０、転写部３２、分離部３４及びクリーニング部３６等は、感光体ドラム２６の周囲に配置される。帯電部２８は、画像書込み前に感光体ドラム２６の表面を一様に帯電する。書込み処理部２２は、表面が一様に帯電された感光体ドラム２６に半導体レーザーを照射することにより感光体ドラム２６に静電潜像を形成する。現像部３０は、書込み処理部２２によって感光体ドラム２６に形成された静電潜像をトナー部材によって現像する。この現像処理によって感光体ドラム２６にトナー画像が形成される。
【００４４】
転写部３２は、例えば、給紙搬送部３８の用紙トレイ４０から搬送されてきた用紙Ｓにトナー像を転写する。トナー像が転写された用紙Ｓは、分離部３４により感光体ドラム２６から分離されて定着装置５２に搬送される。感光体ドラム２６に残留したトナー部材は、クリーニング部３６によって除去される。
【００４５】
給紙搬送部３８は、複数の用紙トレイ４０と給紙（送り出し）ローラ４２、搬送ローラ４４、転写搬送ローラ４６、排紙部４８及び再給紙部５０を有して構成される。各用紙トレイ４０から送り出された用紙Ｓは、給紙ローラ４２、搬送ローラ４４により転写部３２に搬送され、転写部３２により用紙Ｓの表面側に上述のトナー画像が転写される。トナー画像が転写された用紙Ｓは、転写搬送ローラ４６により定着装置５２に搬送される。定着装置５２は、転写搬送ローラ４６により搬送された用紙Ｓを加熱することにより用紙Ｓの表面側に転写されたトナー画像を定着する。
【００４６】
定着処理が施された用紙Ｓは、片面印刷の場合にはそのまま後処理装置２００（又は排紙部４８）に搬送される。一方、両面印刷の場合には、再給紙部５０により定着後の用紙Ｓがスイッチバックされて再度転写部３２に搬送され、当該用紙Ｓの裏面側にプリンター部２４で所定の画像が転写される。そして、両面に画像が形成された用紙Ｓは定着後に後処理装置２００等に搬送される。
【００４７】
大容量給紙装置１６は、複数の用紙積載部５６と各用紙積載部５６の排出口近傍に設けられた搬送ローラ５８とを有する。複数の用紙積載部５６のそれぞれには、８×１１版，Ａ４版，Ｂ５版等のサイズに応じた用紙Ｓが積載されている。各用紙積載部５６に積載された用紙Ｓは、所定のタイミングで搬送ローラ５８により装置本体部１２のプリンター部２４に連続して搬送される。
【００４８】
続いて、図２を参照して、デジタル複合機１００の制御系の構成例について説明する。図２に示すデジタル複合機１００は、操作表示部９、スキャナー部１８、画像処理部６０、プリンター部２４及び制御ユニット９０を有して構成される。
【００４９】
制御ユニット９０は、画像制御ＣＰＵ５、ＤＲＡＭ制御ＩＣ６、読取り処理部２０、書込み処理部２２、圧縮ＩＣ８３、伸長ＩＣ８４、ハードディスク装置８５（ＨＤＤ）、システムメモリ８６（ＲＡＭ）、画像メモリ８７（ＤＲＡＭ）及び、不揮発メモリ８９を有して構成される。画像メモリ８７には、圧縮メモリ８８及びページメモリ９８が設けられる。
【００５０】
ハードディスク装置８５には、画像処理部６０で画像処理された画像データＤ１が格納される。この他に、当該画像形成システムＧＳを起動するためのシステムプログラムや、画像制御ＣＰＵ５、操作表示部９、スキャナー部１８、画像処理部６０、プリンター部２４及び後処理装置２００等（図示せず）を制御するためのプログラムが格納される場合がある。画像制御ＣＰＵ５は制御部の一例を構成する。システムメモリ８６には、当該画像形成システムＧＳを起動する際に、ハードディスク装置８５から読み出されたシステムプログラムが展開される。システムメモリ８６にはＲＡＭが使用される。
【００５１】
不揮発メモリ８９には、例えば、ＩＰアドレス等のユーザーデータが記憶される。ユーザーデータは初期化時に設定される。不揮発メモリ８９には、電源が切れてもデータが消滅しないＥＥＰＲＯＭ等が使用される。画像制御ＣＰＵ５には、システムメモリ８６及び不揮発メモリ８９の他に、操作表示部９が接続される。
【００５２】
操作表示部９は操作部及び表示部の機能を有し、ＬＣＤモニタ９１及び、操作＆制御部９２を有して構成される。操作表示部９は、プリンター部２４によって実行される複数の予約ジョブを受け付けるように入力操作される。その際の予約ジョブの受け付けは、例えば、操作表示部９から画像制御ＣＰＵ５へ、予約ジョブを指定する操作データＤ９２を出力することで行われる。操作表示部９は入力操作の他に画像制御ＣＰＵ５によって識別情報を設定された予約ジョブ及び当該識別情報を設定されていない予約ジョブを同一画面上に一覧表示するようになされる。
【００５３】
操作表示部９は、予約ジョブの受け付け処理の他にジョブ設定情報Ｄｓ等を設定する際にも操作される。ジョブ設定情報Ｄｓには、片面・両面や、使用トレイ、出力モード、残時間情報、状態、枚数、部数、残枚数、ユーザー名及びファイル名等が含まれる。ＬＣＤモニタ９１には液晶表示装置が使用され、ＬＣＤモニタ９１上にはタッチパネルが設けられる。
【００５４】
操作＆制御部９２は、テンキー等の入力ツールの他にタッチパネルによる入力機能を有して画像制御ＣＰＵ５に接続される。操作＆制御部９２は、シリアル通信線を介して操作データＤ９２を画像制御ＣＰＵ５へ転送し、又は、画像制御ＣＰＵ５から入力した表示データＤ９１をＬＣＤモニタ９１に出力するように制御する。表示データＤ９１は、ジョブ管理画面ＪＧをＬＣＤモニタ９１に表示したり、このジョブ管理画面ＪＧ内にジョブスケジュール画面Ｇ１や、ジョブリスト画面Ｇ２等（図３〜図９参照）を表示するためのデータであり、例えば、システムメモリ８６内で編集される。
【００５５】
また、ジョブスケジュール画面Ｇ１及びジョブリスト画面Ｇ２には、各々の予約ジョブの出力時間（時間情報＝予測値）が画面表示される。このような予約ジョブの出力時間がジョブスケジュール画面Ｇ１及びジョブリスト画面Ｇ２上に表示されると、いつ頃、操作者が機械の側にいればよいかを視覚的に認識できるようになる。
【００５６】
この例で、画像制御ＣＰＵ５は、システムメモリ８６から表示データＤ９１を読み出して操作表示部９のＬＣＤモニタ９１へ転送する。ＬＣＤモニタ９１は、画像制御ＣＰＵ５によってシステムメモリ８６から読み出される表示データＤ９１に基づいてジョブスケジュール画面Ｇ１や、ジョブリスト画面Ｇ２等を表示するようになされる。
【００５７】
この例で、画像制御ＣＰＵ５は操作表示部９によって受け付けられた予約ジョブの中から、ウエイトモードやプルーフモード等のジョブ連続実行阻害要因を含む予約ジョブを抽出し、ここに抽出された予約ジョブにジョブ連続実行阻害要因を示す識別情報を設定する。識別情報は例えば、逆三角形状の識別マーク（図３中で▼印で示している）であり、スケジュール画面を表示する表示データＤ９１に合成される。ウエイトモードやプルーフモード等で機械が停止するタイミングを認識できるようになる。
【００５８】
上述の制御ユニット９０にはスキャナー部１８が接続される。スキャナー部１８は、図１で説明した自動原稿給紙装置１４（図２で図示せず）の他にイメージセンサ（図中、ＣＣＤ８１と記す）及びスキャナー制御部８２を有して構成される。ＣＣＤ８１は制御ユニット９０の読取り処理部２０に接続される。スキャナー制御部８２は、画像制御ＣＰＵ５に接続され、スキャン制御信号Ｓ８２に基づいてスキャナー部１８を制御する。スキャナー部１８は、コピーモード時、スキャン制御信号Ｓ８２に基づいて原稿ｄを読み取り、アナログの画像読取信号Ｓ８１を出力する。スキャン制御信号Ｓ８２は、シリアル通信線を介して画像制御ＣＰＵ５から入力される。スキャン制御信号Ｓ８２は、スキャナー部１８を走査露光制御するための信号である。
【００５９】
ＣＣＤ８１から出力されたアナログの画像読取信号Ｓ８１は読取り処理部２０に入力される。読取り処理部２０は、ＣＣＤ８１により光電変換された画像読取信号Ｓ８１をアナログ処理、Ａ／Ｄ変換処理及び、シェーディング補正処理して画像データＤ１を出力する。
【００６０】
読取り処理部２０には圧縮ＩＣ８３が接続される。圧縮ＩＣ８３は、データ格納時、画像データＤ１を圧縮処理する。圧縮ＩＣ８３にはＤＲＡＭ制御ＩＣ６が接続される。ＤＲＡＭ制御ＩＣ６には、圧縮ＩＣ８３の他に、画像制御ＣＰＵ５、伸長ＩＣ８４、システムメモリ８６、画像メモリ８７及び不揮発メモリ８９に接続される。
【００６１】
ＤＲＡＭ制御ＩＣ６は圧縮処理後の画像データＤ１を画像メモリ８７の圧縮メモリ８８に記憶する。画像メモリ８７には、圧縮メモリ８８の他にページメモリ９８が設けられる。画像メモリ８７にはＤＲＡＭが使用される。ＤＲＡＭ制御ＩＣ６は画像形成（画像書込）時、圧縮メモリ８８から画像データＤ１を読み出して伸長ＩＣ８４に出力する。伸長ＩＣ８４は、圧縮処理された画像データＤ１を伸長処理して書込み処理部２２に出力する。書込み処理部２２は、図１の感光体ドラム２６に静電潜像を形成するために、伸長後の画像データＤ１に基づいてプリンター部２４のレーザーダイオード４１を駆動する。
【００６２】
プリンター部２４は、図１で説明した感光体ドラム２６、帯電部２８、現像部３０、転写部３２、分離部３４及びクリーニング部３６（図２で図示せず）の他に、レーザーダイオード４１（ＬＤ）及びプリンター制御部４３を有して構成される。レーザーダイオード４１は、書込み処理部２２に接続され、画像データＤ１に基づいて所定の強度のレーザー光を感光体ドラム２６に向けて出射する。
【００６３】
プリンター制御部４３は、画像制御ＣＰＵ５に接続され、シリアル通信線を介して画像制御ＣＰＵ５から転送されてくるプリント制御信号Ｓ４３を入力してレーザーダイオード４１及びプリンター部２４を制御する。プリンター部２４では、レーザーダイオード４１から出射されたレーザー光が感光体ドラム２６に照射されて静電潜像を形成するようになる。プリンター部２４では、プリント制御信号Ｓ４３に基づいて用紙Ｓの搬送、感光体ドラム２６に係る帯電、露光、現像、転写、分離、クリーニング等の処理が行われ、用紙Ｓの所定の面に画像を形成し、その後、排紙等を行う。これにより、画像データＤ１及び設定されたジョブ設定情報Ｄｓに基づいて用紙Ｓに画像を形成するプリントジョブを実行できるようになる。
【００６４】
なお、上述の残時間情報の計算は、例えば、画像制御ＣＰＵ５によって、残枚数÷サイズＰＰＭにて実行されるが、プリント動作開始後には、プリンター制御部４３によって指定される部間時間も加味される。これらを加味して残時間は、（残枚数÷サイズＰＰＭ）＋｛（残り部数−１）×部間時間｝によって算出される。サイズＰＰＭは、用紙１頁当たりのプリント時間である。予約順で先頭になったジョブ（以下先頭ジョブという）については、残枚数及び残時間が変化すれば最新の表示に変更するようになされる。
【００６５】
また、上述のハードディスク装置８５にはＰＣＩバスを介してＤＲＡＭ制御ＩＣ６の他に画像処理部６０が接続される。画像処理部６０は、ローカル・エリア・ネットワーク用のインターフェース（ＬＡＮ  ＩＦ）２１、コントローラー制御ＣＰＵ２３、画像メモリ２５（ＤＲＡＭ）及びＤＲＡＭ制御ＩＣ２７を有して構成される。
【００６６】
インターフェース２１は、プリンタモード時、外部のパーソナルコンピュータ（外部端末装置）から画像データＤ１を受信する。インターフェース２１には、ＤＲＡＭ制御ＩＣ２７が接続される。ＤＲＡＭ制御ＩＣ２７には、インターフェース２１の他にＰＣＩバス、コントローラー制御ＣＰＵ２３、画像メモリ２５が接続される。
【００６７】
この例で、画像処理部６０は、プリンタモードが設定されると、インターフェース２１を介して外部端末装置から画像データＤ１を受信する。ＤＲＡＭ制御ＩＣ２７は受信した画像データＤ１を一端、画像メモリ２５に格納する。その後、ＤＲＡＭ制御ＩＣ２７はページ単位に画像データＤ１をＰＣＩバスを介して制御ユニット９０に転送する。
【００６８】
制御ユニット９０では、画像処理部６０から転送されてくる画像データＤ１をＤＲＡＭ制御ＩＣ６を介してページメモリ９８に格納する。その後、ＤＲＡＭ制御ＩＣ６は、ページメモリ９８から読み出した画像データＤ１を圧縮ＩＣ８３に出力する。圧縮ＩＣ８３は、データ格納時、画像データＤ１を圧縮処理する。ＤＲＡＭ制御ＩＣ６は圧縮処理後の画像データＤ１を画像メモリ８７の圧縮メモリ８８に記憶する。
【００６９】
プリンタモード（画像書込）時は、コピーモードと同様にして、ＤＲＡＭ制御ＩＣ６が圧縮メモリ８８から画像データＤ１を読み出して伸長ＩＣ８４に出力する。伸長ＩＣ８４は、圧縮処理された画像データＤ１を伸長処理して書込み処理部２２に出力する。書込み処理部２２は、図１の感光体ドラム２６に静電潜像を形成するために、伸長後の画像データＤ１に基づいてプリンター部２４のレーザーダイオード４１を駆動する。
【００７０】
続いて、図３〜図６を参照して、ジョブスケジュール画面Ｇ１について説明する。図３に示すジョブスケジュール画面Ｇ１の表示例（その１）によれば、図示しないメニュー画面で、「ジョブ管理」のアイコンボタンを押下（タッチ）することで、図１や図２に示した操作表示部９のＬＣＤモニタ９１にジョブ管理画面ＪＧが表示される。ジョブ管理画面ＪＧ内には、ジョブスケジュール画面Ｇ１が表示され、その画面上方側には、「コピー」、「スキャン」、「保存」、「読出し」、「ジョブリスト」及び「機械状態」のアイコンボタンが表示される。この例では、「ジョブリスト」のアイコンボタンＢ１が選択されているので、他のアイコンボタンの表示色が灰色（無変化）であるのに対して、アイコンボタンＢ１が灰色から水色に変化している。
【００７１】
このジョブ管理画面ＪＧのアイコン表示領域の下方には、「ズームボタンで表示スケールを変更できます  バーをタッチすると、ジョブ情報を表示します」の文字情報が表示される。上述の文字情報の下方には、「ジョブ」、「スケジューリング」、「出力履歴」、「送信履歴」、「未出力履歴」、「展開状況」等のアイコンが表示される。このアイコンの下方領域であって、ジョブスケジュール画面Ｇ１の一方の軸（縦軸）方向にトレイ情報が割り当てられ、かつ、他方の軸（横軸）方向に所要時間（分）が割り当てられる。
【００７２】
トレイ情報には、例えば、「トレイ１」→不定形  普通紙１０６−１３５ｇ／ｍ２、「トレイ２」→Ｂ４□（横）  普通紙６４−７４ｇ／ｍ２、「トレイ３」→Ａ４□（縦）  普通紙６４−７４ｇ／ｍ２、「トレイ４」→８．５×１１□（横）  普通紙６４−７４ｇ／ｍ２、「トレイ５」→８．５×１１□（縦）  普通紙６４−７４ｇ／ｍ２、「トレイ６」→Ａ４□（縦）  普通紙６４−７４ｇ／ｍ２、「トレイ７」→１１×１７□（横）  普通紙６４−７４ｇ／ｍ２、「トレイ８」→Ａ３（横）  普通紙６４−７４ｇ／ｍ２等が表示される。
【００７３】
図中、「ＰＩ  ８．５×１１□  ＰＦＵ１  普通紙６４−７４ｇ／ｍ２」、「ＰＩ  Ａ４□  ＰＦＵ２  普通紙６４−７４ｇ／ｍ２」、「ＰＩ  １１×１７  ＰＦＵ３  普通紙６４−７４ｇ／ｍ２」は、後処理装置２００のトレイ情報である。これらのトレイ情報から複数トレイを使用する予約ジョブを認識したり、プリント出力中のジョブを含めたジョブのトレイ情報を認識できるようになる。なお、「該当用紙なし」は、該当する用紙トレイが無いことを示す設定項目である。
【００７４】
所要時間（分）には、０，１０，２０，３０等が表示される。所要時間（分）は、最初の予約ジョブの実行開始からの経過時間を、例えば、１０分の表示（時間）スケールで表示される。表示スケールは「ズーム（拡大・縮小）」のアイコンボタンＢ３で自由に単位時間を１０，２０、３０，６０分等のように可変設定できるようになっている。切替え範囲は、最小３０分〜最大２４時間の２３段階である。
【００７５】
この例で、ジョブスケジュール画面Ｇ１の時間情報は、単位切替え毎に不揮発メモリ８９に格納する。例えば、電源ＯＮ時、モード間の遷移時、他画面からの画面遷移時に不揮発メモリ８９に格納された時間情報を読み出し、この時間情報に基づいてジョブスケジュール画面Ｇ１の所要時間（分）を表示する。
【００７６】
ジョブスケジュール画面Ｇ１には、プリンター部２４が実行中の予約ジョブ又は識別情報が設定された予約ジョブを含む実行待ちをしている複数の予約ジョブが表示される。この例では、ジョブＩＤ＝「０００１」〜「０００５」の５個の予約ジョブが表示され、ジョブＩＤ＝「０００１」〜「０００５」の予約ジョブ毎にジョブバーＪｂが表示される。ジョブとジョブの区切りは、背景色の濃淡を交互に切り替えて区別するようになされる。
【００７７】
ジョブバーＪｂは、予約ジョブを含めたジョブの状態、残時間（表示単位は秒単位である）を表示するために、長さ可変の横バーを有している。用紙Ｓの残枚数を表示するために、ジョブバーＪｂの色を３レベルに色分けしてユーザーに認識させるようにしている。この例で、当該横バーが青色（動作色；図中斜線で示す）、黄色（操作色；図中白抜きで示す）、赤色（機械停止色；図中黒塗りで示す）の３色で表示される。
【００７８】
青色の横バーは、例えば、用紙トレイに十分な用紙Ｓが収納されており、プリント可能な状態を示している。黄色の横バーは用紙トレイにはそろそろ用紙Ｓが無くなり、プリント出力中に用紙Ｓが足りなくなる状態であることを示している。赤色の横バーは用紙トレイには全く用紙Ｓが無い状態、又は、用紙Ｓが不足してプリント出力が途中で停止することを示している。このようにジョブバーＪｂの横バーの色を変えて表示すると、ジョブ毎に使用トレイを表示し、用紙補給で機械が停止するタイミングを段階的に色分け表示を行い、ユーザーが用紙補給の必要性を事前に認識できるようになる。
【００７９】
ジョブバーＪｂの横バーの長さは、ジョブリストの残時間表示で算出した実行時間に基づいて表示する。これにより、ジョブバーＪｂの横バーの長さからジョブの残時間を認識できるようになる。例えば、１０分スケールにおいて、１スケールの半分の長さに、ジョブバーＪｂの横バーが対応するときは、当該ジョブの残時間が５分であることを確認できるようになっている。
【００８０】
また、ＬＣＤモニタ９１は、▼印の赤色の識別マークＭが設定されたジョブＩＤ＝「０００３」の予約ジョブを、ジョブスケジュール画面Ｇ１上に一覧表示されるジョブＩＤ＝「０００１」，「０００２」〜「０００５」の他の予約ジョブに対して識別するように表示する。識別マークＭが設定されたジョブＩＤ＝「０００３」の予約ジョブは、機械が停止するジョブ（ウエイト／プルーフジョブ）であることをユーザーに認識させるために表示される。このように▼印の赤色の識別マークＭを設定したジョブＩＤ＝「０００３」の予約ジョブを表示すると、大量のプリントジョブを予約し、連続的にプリント出力を行う作業で、ジョブＩＤ＝「０００１」〜「０００５」の５個の予約ジョブの中からウエイトモード等のジョブＩＤ＝「０００３」の予約ジョブを容易に認識できるようになる。
【００８１】
この例では、ジョブバーＪｂをタッチすることにより、更に詳細な情報が表示される。例えば、赤色の識別マークＭが設定されたジョブＩＤ＝「０００３」の予約ジョブのジョブバーＪｂをタッチすると、図３に示すようなポップアップ画面Ｐ１がジョブスケジュール画面Ｇ１上に表示される。ポップアップ画面Ｐ１には、ジョブＩＤ：０００３、モード：ウエイト（Ｐ）、ユーザー名：「ｋｐ２０」、ファイル名：０８１１０６  ０９５３０５、用紙サイズ：８．５×１１□（横）、用紙種類：普通紙、用紙名称：普通紙、坪量：指定無し、色：白色、パンチ穴：パンチ穴なし、表裏調整：指定無し、及び、プロセス調整：指定無しが表示される。このようにジョブスケジュール画面Ｇ１に、ウエイトモードや、プルーフモード等の予約ジョブの設定内容を拡大画面にして表示できるようになる。
【００８２】
また、ポップアップ画面Ｐ１と共にポップアップ子画面Ｐ２がジョブスケジュール画面Ｇ１の右斜め情報に表示され、ポップアップ子画面Ｐ２には、「ジョブ再選択」及び「予約順序の変更」等のアイコンボタンＢ４，Ｂ５が表示される。これらのアイコンボタンＢ４，Ｂ５は、予約ジョブを再選択する場合や、予約順序を変更する際に押下される。例えば、ジョブ選択状態で「ジョブ再選択」のアイコンボタンＢ４を右矢印又は左矢印を押下すると、前ジョブ又は後ジョブを選択し、ポップアップ画面Ｐ１で選択されたトレイ情報が表示される。
【００８３】
また、ジョブ選択状態で「予約順序の変更」（４種）のアイコンボタンＢ５を押下するようになされる。例えば、左矢印ボタンを押下すると選択された予約ジョブを１つ優先順位を上げるように設定される。左二重矢印ボタンを押下すると選択された予約ジョブを先頭へ移動するように設定される。これらは「優先」のアイコンボタンと同様な制御である。右矢印ボタンを押下すると選択された予約ジョブを１つ優先順位を下げるように設定される。右二重矢印ボタンを押下すると選択された予約ジョブを確定した予約ジョブの最後尾へ移動するように設定される。
【００８４】
図４に示すジョブスケジュール画面Ｇ１の表示例（その２）によれば、ジョブスケジュール画面Ｇ１の下方側には、「単位切替」、「ズーム」、「保留」、「ジョブ削除」のアイコンボタンが表示される。「単位切替」のアイコンボタンＢ６を押下すると、図３に示したジョブスケジュール画面Ｇ１の所要時間（分）を時刻情報に切り替えることができる。この時刻表示により、ウエイトモードやプルーフモードの予約ジョブの実行開始時刻を認識できるようになっている。
【００８５】
このように「単位切替」のアイコンボタンＢ６を押下すると、図３に示したポップアップ画面Ｐ１の内容である、ジョブＩＤ：０００３、モード：ウエイト（Ｐ）、ユーザー名：ｋｐ２０、ファイル名：０８１１０６  ０９５３０５、用紙サイズ：８．５×１１□（横）、用紙種類：普通紙、用紙名称：普通紙、坪量：指定無し、色：白色、パンチ穴：パンチ穴なし、表裏調整：指定無し、及び、プロセス調整：指定無しに加えて、図４に示すポップアップ画面Ｐ１内に出力時間、例えば、ジョブ開示時刻１３時４７分を示す「１３：４７」が表示される。
【００８６】
ジョブ開示時刻＝「１３：４７」は、例えば、画像制御ＣＰＵ５（エンジン）が所有する時計機能の現在時刻に、ウエイト／プルーフモードの予約ジョブよりも前に予約されているプリント出力中の予約ジョブの残時間を加える（累積加算する）ことにより算出する。これにより、図３に示したウエイトモードの予約ジョブの実行開始時刻（概算）＝１３：４７を確認することができ、いつ頃、操作者が機械の側にいればよいかを視覚的に認識できるようになる。
【００８７】
図５に示すジョブスケジュール画面Ｇ１の表示例（その３）によれば、３ジョブ目の予約ジョブとして、ウエイトモードのジョブＩＤ＝「０００３」の予約ジョブがジョブスケジュール画面Ｇ１に表示されている。この時点から、時刻が経過してジョブＩＤ＝「０００３」の予約ジョブの前に予約された２個の予約ジョブが全てプリント出力を完了すると、図６に示すジョブスケジュール画面Ｇ１の表示例（その４）のように、ウエイトモードのジョブＩＤ＝「０００３」の予約ジョブが先頭ジョブの位置（出力ジョブの位置でもある）に移動する。
【００８８】
この例で、予約ジョブから出力ジョブとなった場合、ウエイトモードや、プルーフモード等の▼印の識別マークがジョブスケジュール画面Ｇ１から削除される。これと共に、ジョブＩＤ＝「０００３」の予約ジョブが先頭ジョブとなったことで、図６に示すように、ジョブバーＪｂの表示色が、通常のジョブバーＪｂ（トレイ残量表示）を操作待ち色（ここではピンク色；図中梨地で示す）に変更して待機される。ジョブバーＪｂをピンク色にしたのはユーザーに注意を喚起するためである。
【００８９】
続いて、図７〜図９を参照して、ジョブ管理画面ＪＧ内に展開されるジョブリスト画面Ｇ２について説明する。この例でも、図３で示した▼印の赤色の識別マークＭが設定される予約ジョブには、当該プリントジョブを開始する時刻を示す時間情報がジョブリスト画面Ｇ２上に表示される。例えば、ジョブＩＤ＝００１３の予約ジョブに出力開始時間として、１３時４７分を示す「１３：４７」が表示される。
【００９０】
図７に示すジョブリスト画面Ｇ２の表示例（その１）によれば、図３に示したジョブスケジュール画面Ｇ１で「ジョブ」のアイコンボタンＢ７を押下（タッチ）することで、図１や図２に示した操作表示部９のＬＣＤモニタ９１にジョブリスト画面Ｇ２が表示される。ジョブリスト画面Ｇ２の画面上方側には、ジョブスケジュール画面Ｇ１と同様にして、「コピー」、「スキャン」、「保存」、「読出し」、「ジョブリスト」及び「機械状態」のアイコンボタンが表示される。この例では、図３に示したジョブスケジュール画面Ｇ１で「ジョブ」のアイコンボタンＢ７が押下されているので、他のアイコンボタンの表示色が灰色（無変化）であるのに対して、アイコンボタンＢ７が灰色から水色に変化している。
【００９１】
ジョブリスト画面Ｇ２中には、「リスト上のジョブを選択し、ジョブ操作を行うことができます」の文字情報が表示される。この文字表示領域の下方には、ジョブリスト一覧用の表示欄が設けられ、この表示欄には、「ジョブ」、「出力履歴」、「送信履歴」、「未出力履歴」、「展開状況」等のアイコンボタンの他に、各々の予約ジョブを識別するＩＤ情報に対応してジョブ連続実行阻害要因を含むジョブ設定情報Ｄｓが記述される。ジョブ設定情報Ｄｓは当該予約ジョブの画像データＤ１に付加される。ジョブリスト画面Ｇ２には、プリンター部２４が実行中の予約ジョブ又は実行待ちをしている複数の予約ジョブが一覧表示される。
【００９２】
この例では、動作中、モード、状態、枚数、部数、残枚数、時間（分）、ユーザー名、ファイル名の項目欄が割り当てられる。例えば、動作中の予約ジョブ、ジョブＩＤが「００１０」のプリンタモードに対して、状態＝出力中、枚数＝２０、部数＝５０、残枚数＝１００、時間（分）＝１、ユーザー名「×○□△」、ファイル名「ａｂｃｄｅｆｇ」が表示される。同様にジョブＩＤ＝「００１１」のコピーモードに対して、状態＝出力可、枚数＝２０、部数＝５０、残枚数＝１０００、時間（分）＝９、ユーザー名「○□△×」、ファイル名「ｂｃｄｅｆｇａ」が表示される。
【００９３】
ジョブＩＤ＝「００１２」のコピーモードに対して、状態＝出力可、枚数＝２０、部数＝５０、残枚数＝１０００、時間（分）＝９、ユーザー名「□△×○」、ファイル名「ｃｄｅｆｇａｂ」が表示される。ジョブＩＤ＝「００１３」のウエイトモードに対して、状態＝出力可、枚数＝２０、部数＝５０、残枚数＝１０００、時間（分）＝１３：４７、ユーザー名「△×□○」、ファイル名「ｄｅｆｇａｂｃ」が表示される。図中、Ｔは出力時間を示しており、ウエイトモードの予約ジョブのジョブ開始の予想時刻１３時４７分を示している。
【００９４】
ジョブＩＤ＝「００１４」のコピーモードに対して、状態＝出力可、枚数＝１０、部数＝４０、残枚数＝４００、時間（分）＝７、ユーザー名「○×□△」、ファイル名「ｅｆｇａｂｃｄ」が表示される。ジョブＩＤ＝「００１５」のプリンタモードに対して、状態＝出力可、枚数＝２０、部数＝５０、残枚数＝１０００、時間（分）＝９、ユーザー名「×○△□」、ファイル名「ｆｇａｂｃｄｅ」が表示される。
【００９５】
ジョブＩＤ＝「００１６」のコピーモードに対して、状態＝出力可、枚数＝２０、部数＝４０、残枚数＝８００、時間（分）＝７、ユーザー名「×□○△」、ファイル名「ｇａｂｃｄｅｆ」が表示される。ジョブＩＤ＝「００１７」のコピーモードに対して、状態＝用紙予約、枚数＝２０、部数＝５０、残枚数＝１０００、時間（分）＝９、ユーザー名「△○□×」、ファイル名「ｇｂｃｄｅｆｇａ」が表示される。ジョブＩＤ＝「００１８」のプリンタモードに対して、状態＝受信中、枚数＝２０、部数＝４０、残枚数＝８００、時間（分）＝７、ユーザー名「×△□○」、ファイル名「ａｃｄｅｆｇｂ」が表示される。
【００９６】
上述の状態＝用紙予約のジョブは、例えば、サイズ／紙種不一致で停止するジョブであって、現在、用紙トレイに装填されている用紙情報による用紙Ｓのサイズや、紙種等が異なっていて、用紙トレイの設定が必要である場合である。この場合、ジョブスケジュール画面Ｇ１で用紙トレイはジョブバーＪｂを残枚数表示と異なる色（この例は、橙色又は朱色）で表示し、現在の用紙情報とは異なる設定がされていることをユーザーに認識させる。これにより、ユーザーは機械が停止するタイミングを事前に確認することができる。
【００９７】
ジョブＩＤ＝「００１９」のプルーフモード（Ｐ）に対して、状態＝出力可、枚数＝２０、部数＝５０、残枚数＝１０００、時間（分）＝１４：３５、ユーザー名「□○×△」、ファイル名「ａｂｃｅｄｆｇ」が表示される。このように時間情報がジョブリスト画面Ｇ２上に表示されると、いつ頃、操作者が機械の側にいればよいかを視覚的に認識できるようになる。
【００９８】
この例では、ジョブリスト画面Ｇ２内で予約ジョブの入れ替え処理と、ジョブリスト画面Ｇ２とジョブ保留画面Ｇ３との間で予約ジョブが移動できるようになっている。
【００９９】
ジョブ保留画面Ｇ３には、例えば、保留中のジョブＩＤが「０００１」のプリンタモードに対して、状態＝保留中、枚数＝１０００、部数＝１０００、残枚数＝１０００、時間（分）、ユーザー名（×○□△）’、ファイル名（ａｂｃｄｅｆｇ）’が表示される。同様にジョブＩＤ＝「０００２」のコピーモードに対して、状態＝保留中、枚数＝１０００、部数＝１０００、残枚数＝１０００、時間（分）、ユーザー名（○□△×）’、ファイル名（ｂｃｄｅｆｇａ）’が表示される。
【０１００】
ジョブＩＤ＝「０００３」のプリンタモードに対して、状態＝保留中、枚数＝１０００、部数＝１０００、残枚数＝１０００、時間（分）、ユーザー名（□△×○）’、ファイル名（ｃｄｅｆｇａｂ）’が表示される。ジョブＩＤ＝「０００４」のプリンタモードに対して、状態＝保留中、枚数＝１０００、部数＝１０００、残枚数＝１０００、時間（分）、ユーザー名（△×□○）’、ファイル名（ｄｅｆｇａｂｃ）’が表示される。ジョブＩＤ＝「０００５」のコピーモードに対して、状態＝保留中、枚数＝１０００、部数＝１０００、残枚数＝１０００、時間（分）、ユーザー名（○×□△）’、ファイル名（ｅｆｇａｂｃｄ）’が表示される。
【０１０１】
ジョブリスト画面Ｇ２の右側には、「設定変更」、「詳細」、「優先出力」、「優先」、「保留」及び「削除」のアイコンボタンが表示される。ジョブ保留画面Ｇ３の右側には、「チケット編集」、「保留解除」及び「一括解除」のアイコンボタンが表示される。
【０１０２】
この例では、「設定変更」、「詳細」、「優先出力」、「優先」、「保留」及び「削除」や、「チケット編集」、「保留解除」及び「一括解除」等のアイコンボタンを選択して押下することにより、ジョブリスト画面Ｇ２内で予約ジョブの入れ替え処理や、ジョブリスト画面Ｇ２とジョブ保留画面Ｇ３との間で予約ジョブの移動処理等を行えるようになっている。
【０１０３】
この例では、一覧表示される他の予約ジョブと、図３で示した▼印の赤色の識別マークＭが設定された予約ジョブ等とを、ジョブリスト画面Ｇ２上で色分け表示するようになされる。上述の例では、ジョブＩＤ＝「００１３」のウエイトモードに対して、状態＝出力可、枚数＝２０、部数＝５０、残枚数＝１０００、時間（分）＝１３：４７、ユーザー名「△×○□」、ファイル名「ｄｅｆｇａｂｃ」と、ジョブＩＤ＝「００１７」のコピーモードに対して、状態＝用紙予約、枚数＝２０、部数＝５０、残枚数＝１０００、時間（分）＝９、ユーザー名（「△○□×」、ファイル名「ｇｂｃｄｅｆａ」と、ジョブＩＤ＝「００１９」のプルーフモード（Ｐ）に対して、状態＝出力可、枚数＝２０、部数＝５０、残枚数＝１０００、時間（分）＝１４：３５、ユーザー名「□○×△」、ファイル名「ａｂｃｅｄｆｇ」とが青味の掛かった黒色背景（図中では便宜上白地）に対して赤色文字（図中では便宜上太い黒文字）で表示される。
【０１０４】
他のジョブＩＤ＝「００１０」，「００１１」，「００１２」、ジョブＩＤ＝「００１４」〜「００１６」及び、ジョブＩＤ＝「００１８」の予約ジョブは、同黒色背景に対して白抜き文字で表示するようになされる。このように色分け表示するようにしたのは、予約ジョブが、ウエイトモード、用紙予約及びプルーフモードであることをユーザーに喚起するためである。このようにジョブリスト画面Ｇ２上で予約ジョブが色分け表示されるので、大量のプリントジョブを予約し、連続的に出力を行う作業で、予約ジョブの中からウエイトモードやプルーフモード等を容易に認識できるようになる。
【０１０５】
この例で、図３で示した▼印の赤色の識別マークＭが設定された予約ジョブ等がジョブリスト画面Ｇ２上で先頭となった場合、図８に示した例ではジョブＩＤ＝００１３の予約ジョブが先頭となった場合に、ジョブリスト画面Ｇ２上で先頭となっていない他のジョブＩＤ＝００１４の予約ジョブの表示に比べて異なった表示が行われる。
【０１０６】
図８に示すジョブリスト画面Ｇ２の表示例（その２）によれば、４ジョブ目の予約ジョブとして、ウエイトモードのジョブＩＤ＝「００１３」の予約ジョブがジョブリスト画面Ｇ２に表示されている。この時点から、時間（時刻）が経過してジョブＩＤ＝「００１３」の予約ジョブの前に予約された３個の予約ジョブが全てプリント出力を完了すると、図９に示すジョブリスト画面Ｇ２の表示例（その３）のように、ウエイトモードのジョブＩＤ＝「００１３」の予約ジョブが先頭ジョブの位置に移動する。
【０１０７】
この例で、ジョブＩＤ＝「００１３」の予約ジョブから出力ジョブとなった場合、黒色背景に対して赤色文字で表示されていた、ジョブＩＤ＝「００１３」の状態＝出力可、枚数＝２０、部数＝５０、残枚数＝１０００、時間（分）＝１３：４７、ユーザー名「△×○□」、ファイル名「ｄｅｆｇａｂｃ」が機械停止色（赤色）の文字から、例えば、橙色（オレンジ色）の文字に表示切替え（変更）するようになされる。橙色の文字は操作待ち色を示している。更に、予約ジョブが出力ジョブとなったので、その状態は「出力可」から「操作待ち」に変更するようになされる。図７に示した時間（分）は開示時刻表示＝１３：４７から、残時間表示＝９に変更（書き直）される。
【０１０８】
このように当該予約ジョブがジョブリスト画面Ｇ２上で先頭となっていない場合の表示に比べて異なった表示をすると、大量のプリントジョブを予約し、連続的にプリント出力を行う作業で、ウエイトモードやプルーフモード等を伴ったプリントジョブの到来を容易に認識できるようになる。
【０１０９】
続いて、図１０Ａ〜Ｄを参照して、ジョブ管理を行う際のプリントキュー制御例及びプリントジョブのデータフォーマット例について説明する。図１０Ａに示すプリントキュー制御例によれば、例えば、４個のプリントジョブを管理する場合に、ジョブデータＤｊはプリントジョブ毎に設定される。この例では、最初に登録されたプリントジョブから順にプリント動作を実行する（実行ジョブ）。２番目以降のプリントジョブが予約される（予約ジョブ）。これらの実行ジョブ及び予約ジョブの管理は、プリントキューを使用して制御される。
【０１１０】
プリントキューは、プリントスプーラにおいて発生したジョブを記憶するソフトウエアである。例えば、ジョブ管理を行う場合に、プリントキューは、「Print  que」→「Print：プリントジョブ」→「Print：プリントジョブ（予約）→「Print：プリントジョブ（予約）」→「Print：プリントジョブ（予約）」で示される。
【０１１１】
図１０Ｂに示すジョブデータＤｊのフォーマット例によれば、プリントジョブは画像データＤ１にヘッダ情報ＨＤが付加されて構成される。ヘッダ情報ＨＤは、ジョブＩＤ（ＪＯＢ  ＩＤ）及びジョブ設定情報Ｄｓ（以下ジョブ設定情報Ｄｓという）から構成される。図１０Ｃに示すジョブ設定情報Ｄｓには、片面・両面や、使用トレイ、出力モード、残時間情報、状態、枚数、部数、残枚数、ユーザー名及びファイル名等が含まれる。
【０１１２】
この例では、片面・両面の記述欄において、片面印刷モードが設定される場合は「０」が記述される。両面印刷モードが設定される場合は「１」が記述される。使用トレイの記述欄においては、例えば、図１０Ｄに示すように１０個のトレイ１〜トレイ１０が記述される。トレイ７の使用状況に関して、未使用であれば、「０」が記述され、使用であれば「１」が記述される。
【０１１３】
また、図１０Ｃに示す出力モードの記述欄においては、例えば、通常出力、ウエイトモード（Wait  Mode）プルーフモード（Proof  Mode）が記述される。出力モードの設定が通常出力である場合は、「０」が記述され、それがウエイトモードである場合は「１」が記述され、それがプルーフモードである場合は「２」が記述される。
【０１１４】
残時間情報の記述欄には、残時間の計算によって得られた数値、例えば、「１３：４７」が記述される。状態の記述欄には、プリンター部２４の動作状態を示す「出力中」、「出力可」、「用紙予約」、「受信中」が記述される。枚数の記述欄には、プリントの「枚数」、例えば、「２０」、「１０」が記述される。部数の記述欄には、プリントの「部数」、例えば、「４０」、「５０」が記述される。
【０１１５】
残枚数の記述欄には、プリントの「枚数」と「部数」とを積算した、例えば、「８００」、「５００」が記述される。ユーザー名の記述欄には、ユーザー名が記述される。ファイル名の記述欄には、ファイル名が記述される。これにより、ウエイトモードや、プルーフモード等を含むプリントジョブ等のジョブデータＤｊ（＝Ｄ１＋Ｄｓ）を構成するようになる。
【０１１６】
続いて、図１１〜１３を参照して、ジョブのプリントキュー操作例について説明する。
【０１１７】
図１１に示すプリントキュー操作例によれば、プリントキューの基本構造に関して、双方向線形リスト構造が採られる。双方向線形リスト構造によれば、次ジョブへのポインタが無い（NULL）場合は、そのジョブ（JOB1）が最後のジョブであることを示している。また、先頭にはプリントキューの先頭を示すダミー（Dummy）のジョブデータＤｊ’が配置され、ダミージョブの前ジョブへのポインタには、ジョブ無し(NULL）が設定される。ダミージョブは装置本体部１２の起動時に生成される。
【０１１８】
図１２Ａに示すプリントキュー操作例によれば、ジョブ無し状態は「Print  que」で示される。なお、ダミージョブについてはその説明を省略する。図１２Ｂに示すプリントキュー操作例によれば、コピー（スキャン）動作が開始された状態は、「Print  que」→「Scan：スキャンジョブ」で示される。図１２Ｃに示すプリントキュー操作例によれば、コピー（プリント）動作が開始された状態は、「Print  que」→「Scan：スキャンジョブ」→「Print  que」→「Print：プリントジョブ」で示される。プリント開始されると、スキャンジョブはプリントジョブへ遷移する。
【０１１９】
図１３Ａに示すプリントキュー操作例によれば、コピー（プリント）動作が開始された状態は、「Print  que」→「Print：プリントジョブ」で示される。ここで、プリント中にスキャンを開始し、更に、予約ジョブ１が受け付けられた状態は、「Print  que」→「Print：プリントジョブ」→「Scan：スキャンジョブ（予約）」で示される。
【０１２０】
図１３Ｂに示すプリントキュー操作例によれば、コピー（プリント）動作が開始され、更に、予約ジョブのスキャン動作が開始された状態は、「Print  que」→「Print：プリントジョブ」→「Scan：スキャンジョブ（予約）」で示される。ここで、予約ジョブのスキャン完了し出力待ちとなる。そして、コピー（プリント）動作が開始され、更に、予約ジョブ２が受け付けられた状態は、「Print  que」→「Print：プリントジョブ」→「Print：プリントジョブ（予約）」で示される。この例では、プリントジョブ（予約）のジョブ設定情報Ｄｓにウエイトモードやプルーフモード等のジョブ連続実行阻害要因が含まれる場合が対象となる。
【０１２１】
図１３Ｃに示すプリントキュー操作例によれば、ジョブを削除する場合、プリントジョブ１のコピー（プリント）動作が開始され、更に、プリントジョブ２（予約）のプリント動作が開始された状態は、「Print  que」→「Print：プリントジョブ１」→「Print：プリントジョブ２（予約）」で示される。ここで、プリントジョブ１が出力完了となる。プリントジョブ１を削除する状態は、「Print  que」→「Print：プリントジョブ２」で示される。このようにプリントキューを操作して実行ジョブ及び予約ジョブを管理することができる。
【０１２２】
続いて、図１４〜図１６を参照して、本発明に係る画像形成方法についてデジタル複合機１００の表示制御例を説明する。この例では、大量のジョブを予約し、連続的にプリント出力を行う作業で、予約ジョブの中にウエイトモードやプルーフモード等が含まれている場合である。このような場合の画像形成方法について、ジョブ受け付け時、ジョブ終了時及びウエイト／プルーフモード等の予約ジョブの表示制御例の３つに分けて説明する。
【０１２３】
このデジタル複合機１００で、所定の画像データＤ１及びジョブ設定情報Ｄｓに基づいて用紙Ｓに画像を形成する処理をプリントジョブとし、プリントジョブを連続して実行する際の阻害要因をジョブ連続実行阻害要因とし、ウエイトモードや、プルーフモード、用紙予約等のジョブ連続実行阻害要因を含むジョブ設定情報Ｄｓを画像データＤ１に付加（設定）して登録する処理を予約ジョブとする場合を前提とする。
【０１２４】
［ジョブ受け付け時の表示制御例］
図１４に示すジョブ受け付け時の表示制御例によれば、ステップＳＴ１でプリントキューへジョブを登録する。このとき、デジタル複合機１００では、操作表示部９が使用されて複数の予約ジョブが受け付けられる。ユーザーは、大量のプリントジョブを予約し、連続的に出力を行う作業で、ウエイトモードや、プルーフモード、用紙予約等を伴ったプリントジョブを設定する（図１３Ａ，Ｂ参照）。
【０１２５】
次に、ステップＳＴ２で画像制御ＣＰＵ５は、登録されたジョブがウエイトモードや、プルーフモード、用紙予約等のジョブ連続実行阻害要因を含むジョブ又は通常の動作モードのジョブかを判別する。このとき、画像制御ＣＰＵ５では、先のステップＳＴ１で受け付けられた予約ジョブの中からウエイトモードや、プルーフモード、用紙予約等のジョブ連続実行阻害要因を含む予約ジョブを抽出する。ジョブ連続実行阻害要因を含む予約ジョブか否かは、図１０Ｂに示したジョブデータＤｊのヘッダ情報ＨＤをデコード（解読）することで判別される。画像制御ＣＰＵ５は、抽出された予約ジョブにジョブ連続実行阻害要因を示す▼印の赤色の識別マークＭを表示可能な識別情報を設定する。
【０１２６】
そして、画像制御ＣＰＵ５は、登録されたジョブに、ウエイトモードや、プルーフモード、用紙予約等が設定されていると判別した場合は、ステップＳＴ３に移行してウエイトモードや、プルーフモード、用紙予約等に対応したウエイト／プルーフモード（Wait／Proof  Mode）表示処理を実行する。このとき、画像制御ＣＰＵ５では、識別マークＭを設定した予約ジョブ及び当該識別マークＭを設定されていない予約ジョブをジョブスケジュール画面Ｇ１上に一覧表示するようにＬＣＤモニタ９１を表示制御する。
【０１２７】
ＬＣＤモニタ９１は、画像制御ＣＰＵ５から表示データＤ９１を入力し、表示データＤ９１に基づいて▼印の赤色の識別マークＭを設定した予約ジョブ及び当該識別マークＭを設定されていない予約ジョブをジョブスケジュール画面Ｇ１上に一覧表示するようになる（図３参照）。
【０１２８】
上述のプリントキューに登録されたジョブに、ウエイトモードや、プルーフモード、用紙予約等の設定がなされていないと判別された場合は、ステップＳＴ４に移行して通常の動作モードの表示処理を実行する。これにより、大量のプリントジョブを予約し、連続的に出力を行う作業で、予約ジョブの中にウエイトモードやプルーフモード等のジョブ連続実行阻害要因が含まれていた場合であっても、いつ頃、操作者が機械の側にいればよいかを視覚的に認識できるようになる。
【０１２９】
［ジョブ終了時の表示制御例］
また、図１５に示すジョブ終了時の表示制御例によれば、ステップＳＴ１１で画像制御ＣＰＵ５は、登録されたプリントジョブを実行すると、終了ジョブをプリントキューから削除する（図１３Ｃ参照）。
【０１３０】
次に、ステップＳＴ１２で画像制御ＣＰＵ５は、プリントキューの全プリントジョブをシフトする。ここで、図１３Ｃに示したジョブ削除の記載内容のように、先頭ジョブを削除し、次ジョブを先頭ジョブにし、以降のジョブを繰り上げるようにシフトする。
【０１３１】
そして、ステップＳＴ１３で、プリントキューが指定するジョブ（以下指定ジョブという）を先頭ジョブに記述する。その後、ステップＳＴ１４で、画像制御ＣＰＵ５は、指定ジョブがウエイト／プルーフモード又は通常の動作モードかを判別する。この際の判別方法は、図１０Ｂに示したジョブデータＤｊのヘッダ情報ＨＤをデコード（解読）することで判別される（ステップＳＴ２参照）。
【０１３２】
指定ジョブがウエイト／プルーフモードのジョブであることを判別した場合は、ステップＳＴ１５に移行してウエイトモードや、プルーフモード、用紙予約等に対応したウエイト／プルーフモード（Wait／Proof  Mode）表示処理を実行する。このとき、画像制御ＣＰＵ５では、識別マークＭを設定した予約ジョブ及び当該識別マークＭを設定されていない予約ジョブをジョブスケジュール画面Ｇ１上に一覧表示するようにＬＣＤモニタ９１を表示制御する。
【０１３３】
ＬＣＤモニタ９１は、画像制御ＣＰＵ５から表示データＤ９１を入力し、表示データＤ９１に基づいて▼印の赤色の識別マークＭを設定した予約ジョブ及び当該識別マークＭを設定されていない予約ジョブをジョブスケジュール画面Ｇ１上に一覧表示するようになる（図３参照）。その後、ステップＳＴ１７に移行する。
【０１３４】
上述のプリントキューに登録されたジョブに、ウエイトモードや、プルーフモード、用紙予約等の設定がなされていないと判別された場合は、ステップＳＴ１６に移行して通常の動作モードの表示処理を実行する。
【０１３５】
その後、ステップＳＴ１７に移行して、画像制御ＣＰＵ５は、次ジョブが有るか否かを判別する。次ジョブが有る場合は、ステップＳＴ１８に移行して指定ジョブ＝指定ジョブ＋１等のインクリメント処理を実行する。その後、ステップＳＴ１４に戻り、上述した処理を繰り返すようになされる。次ジョブが無い場合は、処理を終了する。これにより、大量のプリントジョブを予約し、連続的に出力を行う作業で、予約ジョブの中にウエイトモードやプルーフモード等のジョブ連続実行阻害要因が含まれていた場合であっても、いつ頃、操作者が機械の側にいればよいかを視覚的に認識できるようになる。
【０１３６】
［ウエイト／プルーフモード等の予約ジョブの表示制御例］
図１６に示すウエイト／プルーフモード等の予約ジョブの表示制御例によれば、ステップＳＴ２１で画像制御ＣＰＵ５は、ウエイト／プルーフモード等の予約ジョブが、ジョブスケジュール画面Ｇ１や、ジョブリスト画面Ｇ２の先頭に記述されるジョブ（先頭ジョブ）となっているかを判別する。
【０１３７】
ウエイト／プルーフモード等の予約ジョブが先頭ジョブの位置となっている場合は、ステップＳＴ２２でウエイト／プルーフモードの表示処理を実行する。このとき、図９に示した例によれば、ジョブＩＤ＝「００１３」の予約ジョブが出力ジョブとなったので、黒色背景に対して赤色文字で表示されていた、ジョブＩＤ＝「００１３」の状態＝出力可、枚数＝２０、部数＝５０、残枚数＝１０００、時間（分）＝１３：４７、ユーザー名「△×○□」、ファイル名「ｄｅｆｇａｂｃ」が機械停止色（赤色）の文字から、橙色（オレンジ色）の文字に表示切替え（変更）するようになされる。更に、予約ジョブが出力ジョブとなったので、その状態は「出力可」から「操作待ち」に変更するようになされる。図７に示した時間（分）は開示時刻表示＝１３：４７から、残時間表示＝９に変更（書き直）される。その後、当該予約ジョブに係る表示制御を終了する。
【０１３８】
上述のステップＳＴ２１でウエイト／プルーフモード等の予約ジョブが、先頭ジョブに至っていないと判別した場合は、ステップＳＴ２３に移行してウエイト／プルーフ識別表示処理を実行する。このとき、図９に示した例によれば、ＬＣＤモニタ９１のジョブリスト画面Ｇ２には、４ジョブ目の予約ジョブとして、ウエイトモードのジョブＩＤ＝「００１３」の予約ジョブがジョブリスト画面Ｇ２に表示されている。
【０１３９】
この前後の予約ジョブ、ジョブＩＤ＝「００１０」，「００１１」，「００１２」、ジョブＩＤ＝「００１４」が黒色背景に対して白抜き文字で表示するようになされる。これに対して、ジョブＩＤ＝「００１３」のウエイトモードの予約ジョブに関して、状態＝出力可、枚数＝２０、部数＝５０、残枚数＝１０００、時間（分）＝１３：４７、ユーザー名「×△○□」、ファイル名「ｅｆｇａｂｃｄ」が黒色背景に対して赤色文字で表示される。
【０１４０】
このように、実施形態に係るデジタル複合機１００によれば、操作表示部９は、プリンター部２４によって実行される複数の予約ジョブを受け付けるように操作される。画像制御ＣＰＵは、操作表示部９によって受け付けられた予約ジョブの中から、ウエイトモードやプルーフモード等のジョブ連続実行阻害要因を含む予約ジョブを抽出し、ここに抽出された予約ジョブにジョブ連続実行阻害要因を示す▼印の赤色の識別マークＭを設定する。これを前提にして、操作表示部９が画像制御ＣＰＵによって識別マークＭを設定された予約ジョブ及び当該識別マークＭを設定されていない予約ジョブをジョブスケジュール画面Ｇ１上に一覧表示するようになる。
【０１４１】
従って、ジョブスケジュール画面Ｇ１上に一覧表示された予約ジョブをプリンター部２４で識別マークＭの設定有無に対応して順に実行できるようになる。これにより、大量のプリントジョブを予約し、連続的にプリント出力を行う作業で、予約ジョブの中にウエイトモードやプルーフモード等のジョブ連続実行阻害要因が含まれていた場合であっても、いつ頃、操作者が機械の側にいればよいかを視覚的に認識できるようになり、大量のプリントジョブを取り扱う作業の効率化を図ることができる。
【０１４２】
この例で、ジョブリスト画面Ｇ２上で予約ジョブが色分け表示されるので、大量のプリントジョブを予約し、連続的に出力を行う作業で、予約ジョブの中からウエイトモードやプルーフモード等を容易に認識できるようになる（ウエイト／プルーフ識別表示処理）。
【０１４３】
また、図３で示した▼印の赤色の識別マークＭが設定された予約ジョブには、当該プリントジョブを開始する時刻を示す出力時間情報（１３：４７）がジョブスケジュール画面Ｇ１や、ジョブリスト画面Ｇ２等に表示されるので、いつ頃、自分が機械の側にいればよいかが視覚的に認識できることにより、作業の効率化が図れる。  
【産業上の利用可能性】
【０１４４】
この発明は、ウエイトモードやプルーフモード等の画像形成条件を画像ファイルに付加して登録された予約ジョブを実行する複写機、プリンター、複合機等に適用して極めて好適である。
【符号の説明】
【０１４５】
ＧＳ  画像形成システム
５  画像制御ＣＰＵ（制御部）
６  ＤＲＡＭ制御ＩＣ
９  操作表示部（操作部、表示部）
１２  装置本体部
１４  自動原稿給紙装置
１６  大容量給紙装置
１８  スキャナー部
２０  読取り処理部
２１  インターフェース
２２  書込み処理部
２３  コントローラー制御ＣＰＵ
２４  プリンター部（画像形成部）
２５，８７  画像メモリ
２６  感光体ドラム
２７  ＤＲＡＭ制御ＩＣ
２８  帯電部
３０  現像部
３２  転写部
３４  分離部
３６  クリーニング部
３８  給紙搬送部
４０  用紙トレイ
４１  レーザーダイオード（プリンター部）
４３  プリンター制御部（プリンター部）
５２  定着装置
５６  用紙積載部
５８  搬送ローラ
６０  画像処理部
８１  ＣＣＤ（スキャナー部）
８２  スキャナー制御部（スキャナー部）
８３  圧縮ＩＣ
８４  伸長ＩＣ
８５  ハードディスク装置
８６  システムメモリ
８８  圧縮メモリ
８９  不揮発メモリ
９０  制御ユニット（制御部）
９１  ＬＣＤモニタ（表示部）
９２  操作＆制御部（操作部）
１００  デジタル複合機（画像形成装置）
２００  後処理装置
【図１】
0005413065.tif 000002
【図２】
0005413065.tif 000003
【図３】
0005413065.tif 000004
【図４】
0005413065.tif 000005
【図５】
0005413065.tif 000006
【図６】
0005413065.tif 000007
【図７】
0005413065.tif 000008
【図８】
0005413065.tif 000009
【図９】
0005413065.tif 000010
【図１０】
0005413065.tif 000011
【図１１】
0005413065.tif 000012
【図１２】
0005413065.tif 000013
【図１３】
0005413065.tif 000014
【図１４】
0005413065.tif 000015
【図１５】
0005413065.tif 000016
【図１６】
0005413065.tif 000017